【事件の表示】
　特願２０１５−　４０３９４「ネットワークを通じて作動状態変更通知の可能なデバイス及びその通信方法」拒絶査定不服審判事件〔平成２７年　６月１８日出願公開、特開２０１５−１１１４６１〕について、次のとおり審決する。
【結　論】
　本件審判の請求は、成り立たない。
【理　由】
第１　手続の経緯
　本願は、平成２３年４月８日（パリ条約による優先権主張外国庁受理　２０１０年８月６日、韓国、２０１０年４月１３日、米国）を国際出願日とする特許出願（特願２０１３−５０４８０８号）の一部を平成２７年３月２日に新たな特許出願（特願２０１５−４０３９４号）としたものであって、平成２８年３月１日付けで拒絶理由が通知され、平成２８年９月７日に意見書が提出されるとともに手続補正がなされたが、平成２８年１１月２１日付けで拒絶査定がなされ、これに対して平成２９年３月２９日に拒絶査定不服審判が請求され、その審判の請求と同時に手続補正がなされ、平成３０年１月２９日付けで拒絶理由通知がされ、平成３０年４月２６日付けで意見書が提出されるとともに手続補正がされ、平成３０年６月４日付けで拒絶理由通知（最後。以下、「当審拒絶理由通知」という。）がされ、平成３０年９月３日付けで意見書が提出されるとともに手続補正がされたものである。
第２　平成３０年９月３日にされた手続補正についての補正却下の決定
［補正却下の結論］
　平成３０年９月３日にされた手続補正（以下、「本件補正」という。）を却下する。
［理由］
１　本件補正について（補正の内容）
（１）本件補正後の特許請求の範囲の記載
　本件補正により、特許請求の範囲の請求項１の記載は、次のとおり補正された。（下線は補正箇所である。）
　「ネットワーク内の第１デバイスによって実行される、デバイスの作動状態変更の通知方法であって、
　前記第１デバイスの作動状態における１次変更が生じると、
ユーザによって現在使用されているデバイスを検索していることを示す検索信号を
に伝送し、前記検索信号に応答して前記１つ以上のデバイスから
受け取る
　前記現在使用中の少なくとも１つの第２デバイスに、前記第１デバイスの前記作動状態における前記１次変更を示す情報を伝送する段階と、
　前記第１デバイスの前記作動状態における前記１次変更に対するユーザの対応を示すユーザ応答を受け取ることにより、前記第１デバイスの作動状態における２次変更が生じると、前記第１デバイスの前記作動状態における前記２次変更を示す情報を前記少なくとも１つの第２デバイスに伝送する段階と、
　を含み、
　前記第１デバイスの前記作動状態における前記１次変更を示す情報は、前記少なくとも１つの第２デバイスのディスプレイ部に所定のユーザインターフェースを通じて表示され、前記第１デバイスの前記作動状態における前記２次変更が生じると、前記第１デバイスの前記作動状態の前記２次変更を示す情報を表示するよう前記ユーザインターフェースが変更される、方法。」
（２）本件補正前の特許請求の範囲
　本件補正前の、平成３０年４月２６日にされた手続補正により補正された特許請求の範囲の請求項１の記載は次のとおりである。
　「ネットワーク内の第１デバイスによって実行される、デバイスの作動状態変更の通知方法であって、
　前記第１デバイスの作動状態における１次変更が生じると、前記ネットワークの１つ以上のデバイスについてユーザの現在の使用状態又は未使用状態を示す情報を、前記ネットワークの１つ以上のデバイスから受信することにより、前記ネットワーク内の前記ユーザによって使用可能な他のデバイスの中から前記ユーザが現在使用中の少なくとも１つの第２デバイスを検索する段階と、
　前記現在使用中の少なくとも１つの第２デバイスに、前記第１デバイスの前記作動状態における前記１次変更を示す情報を伝送する段階と、
　前記第１デバイスの前記作動状態における前記１次変更に対するユーザの対応を示すユーザ応答を受け取ることにより、前記第１デバイスの作動状態における２次変更が生じると、前記第１デバイスの前記作動状態における前記２次変更を示す情報を前記少なくとも１つの第２デバイスに伝送する段階と、
　を含み、
　前記第１デバイスの前記作動状態における前記１次変更を示す情報は、前記少なくとも１つの第２デバイスのディスプレイ部に所定のユーザインターフェースを通じて表示され、前記第１デバイスの前記作動状態における前記２次変更が生じると、前記第１デバイスの前記作動状態の前記２次変更を示す情報を表示するよう前記ユーザインターフェースが変更される、方法。」
２　補正の適否
　本件補正は、請求項１に記載した発明を特定するために必要な事項である「第２デバイスを検索する段階」について、「検索信号」の伝送と「応答」の受け取りに関して、上記のとおり「前記第１デバイスの作動状態における１次変更が生じると、
ユーザによって現在使用されているデバイスを検索していることを示す検索信号を
に伝送し、前記検索信号に応答して前記１つ以上のデバイスから
受け取る
　また、特許法第１７条の２第３項、第４項に違反するところはない。
　そこで、本件補正後の前記請求項１に記載された発明（以下、「本件補正発明」という。）が同条第６項において準用する同法第１２６条第７項の規定に適合するか（特許出願の際独立して特許を受けることができるものであるか）について、以下、検討する。
（１）　本件補正発明
　本件補正発明は、上記１（１）に記載した、特許請求の範囲の請求項１の記載により特定されるとおりのものである。
（２）　引用文献１の記載事項
　当審拒絶理由通知で引用された、本願の優先日前に頒布された又は電気通信回線を通じて公衆に利用可能となった、特開２００６−１８６２３号公報（平成１８年１月１９日出願公開。以下「引用文献１」という。なお、原査定時の「引用文献２」である。）には、図面（特に、【図３０】を参照。）と共に、次の事項が記載されている。（下線は、特に着目した箇所を示す。以下同様。）
　
ア　段落【００１２】
「【００１２】
　本発明はこのような状況に鑑みてなされたものであり、ホームネットワークに接続されている、各種の機能を有する複数種類の装置において、
ユーザの利用情報などを用いて、
イ　段落【００２３】
「【００２３】
　請求項１に記載の情報処理システムは、ネットワーク（例えば、図１４のホームネットワーク２５１）に複数の情報処理装置が接続されて、情報を相互に授受可能なようになされている情報処理システムであって、ネットワークに接続されている情報処理装置は、ネットワークに接続されている複数の情報処理
装置の利用に関する第１の情報（例えば、利用統計情報）
ウ　段落【００３１】
「【００３１】
　情報処理装置１-１は、複数の情報処理装置による分散処理の実行を指示されると、
要求された処理を実行するために必要なデータおよびプログラムを含むソフトウェアセル
エ　段落【０１６０】−【０１６６】
「【０１６０】
　次に、複数の装置において分散処理を実行することが可能な情報処理コントローラ１１を有する、各種の機能を有する装置が、ホームネットワークに接続されている場合の処理の具体的な例について、以下に説明する。
【０１６１】
　図１４は、本発明を適用したホームネットワークシステムの構成を示す図である。
【０１６２】
　
ホームネットワーク２５１には、
携帯電話機２６４、ロケーションフリーＴＶ２６５、
洗濯機２７５、
および、ラジオ２８１が、有線、または、無線で接続され
　　　・・・（中略）・・・
【０１６６】
　すなわち、ホームネットワーク２５１に接続されているいずれの装置からであっても、情報処理コントローラ１１を有し、分散処理の実行が可能な機器を捜索することが可能なようになされており、利用統計情報を交換する機器を選択することができるようになされている。また、情報処理コントローラ１１を有し、分散処理が実行可能な機器を、あとでホームネットワーク２５１に追加して接続することも可能であり、その場合も、ホームネットワーク２５１に接続されているいずれの装置からであっても、分散処理を実行させる機器が捜索可能なようになされており、利用統計情報を交換する機器を選択することができるようになされている。」
オ　段落【０１８２】
「【０１８２】
　情報処理コントローラ１１を有するそれぞれの機器は、機能プロファイルテーブル３５９および所有機器ＩＤテーブル３６１を基に、他の機器において利用できる機能を選択することが可能である。
例えば、
洗濯機２７５の終了通知を他の機器を用いて行う場合に
洗濯機２７５、
は、利用統計情報を参照し、その時間帯にユーザが近傍に存在する可能性が最も高い機器で、かつ、音声または映像出力の機能のある機器を、通知処理の実行要求を送信する機器として選択することができ
洗濯機２７５の終了通知を行う機器として選択された機器が、ロケーションフリーＴＶ２６５である場合、
表示部に、洗濯機２７５の処理が終了したことをユーザに通知するためのメッセージが表示され
ユーザは、
洗濯機２７５の扉を開けて洗濯物を取り出すことにより、終了通知を確認したことを洗濯機２７５に認識させることができ
洗濯機２７５
は、ユーザが終了通知を確認したことを認識することができなかった場合、次にその時間帯にユーザが近傍に存在する可能性が高い機器で、かつ、音声または映像出力の機能のある機器を選択し、終了通知を実行させることができる
カ　段落【０１９６】−【０２００】
「【０１９６】
　例えば、ホームネットワーク２５１に接続されている
他の装置と連携して処理を実行する場合に先立ち、他の装置が保有する利用統計情報が取得される場合
利用統計情報リクエストコマンド
を生成し、
送信させる
　　　・・・（中略）・・・
【０１９９】
　ソフトウェアセル生成部３０５は、利用統計情報記憶部３０４に記憶されている利用統計情報を参照して、図２１に示される実行セクションのDMAコマンドが
利用統計情報レスポンスコマンド
を生成し、
送信させる
【０２００】
　図１９を用いて説明した
利用統計情報リクエストコマンドに対する利用統計情報レスポンスコマンドのデータには、
利用統計情報が含まれる
キ　段落【０２５２】−【０２６９】
「【０２５２】
　次に、図３０乃至図３４を参照して、図２９を用いて説明した、他の装置に処理の実行を要求する処理の具体的な例について説明する。
【０２５３】
　例えば、洗濯機２７５の処理が終了したとき、洗濯機２７５は、ピープ音を発生してユーザに洗濯動作の終了を通知するが、ユーザが洗濯機２７５のそばにいない場合、ユーザには、ピープ音が聞こえないので、洗濯動作の終了の通知を受けることができない場合がある。そこで、本発明を適用することにより、洗濯機２７５による洗濯動作の終了時に、ユーザが洗濯機２７５とは異なる場所にいても、ユーザに洗濯動作の終了を通知するようにすることができる。
【０２５４】
　図３０を参照して、洗濯機２７５の処理（洗濯動作）の終了を、他の装置を用いて、ユーザに通知する場合の処理について説明する。
【０２５５】
　
ステップＳ５１において、洗濯機２７５の処理要求生成部３０９は、動作情報取得部３１２により取得された洗濯終了を示す動作情報の供給を受け
【０２５６】
　
ステップＳ５２において、洗濯機２７５の処理要求生成部３０９は、全利用統計情報記憶部３０８に記憶されている利用統計情報を参照して、ユーザへの洗濯終了通知処理実行を指令する装置の優先順位を決定
【０２５７】
　
具体的には、
ユーザに対して、
表示などを用いて、洗濯機２７５の終了を通知する機能を有する装置であって
現在の時刻に、洗濯機２７５を使用しているユーザが利用している可能性の高い装置
を、優先順位の高い装置として選択
【０２５８】
　
ステップＳ５３において、洗濯機２７５の処理要求生成部３０９は、ユーザに洗濯機２７５の処理の終了を通知させる処理を他の装置に実行させるためのコマンドの生成と出力を、ソフトウェアセル生成部３０５に要求
ソフトウェアセル生成部３０５は、
処理実行リクエストコマンドを生成して、ソフトウェアセル送受信制御部３０６に供給
ソフトウェアセル送受信制御部３０６は、供給された処理実行リクエストコマンドを、ホームネットワーク２５１を介して、ステップＳ５２の処理により優先順位が上位であるとされた装置に送信
【０２５９】
　ここでは、
優先順位の高い装置として、携帯電話機２６４、および、ラジオ２８１が選択された
【０２６０】
　
ステップＳ５４において、携帯電話機２６４のソフトウェアセル送受信制御部３０６は、ステップＳ５３において
洗濯機２７５
から送信された処理実行リクエストコマンドを受信し、ソフトウェアセル解析部３０７に供給
【０２６１】
　
ステップＳ５５において、携帯電話機２６４のソフトウェアセル解析部３０７は、供給された処理実行リクエストコマンドを解析して、解析結果を、動作制御部３１１に供給し、動作制御部３１１は、供給された解析結果に含まれる利用統計情報を参照して、例えば、音声出力や、メッセージの表示、または、バイブレーションの実行などの、ユーザへの洗濯終了通知処理を実行
【０２６２】
　
ステップＳ５６において、洗濯機２７５の処理要求生成部３０９は、動作情報取得部３１２から供給される、洗濯機２７５の扉の開閉を示す情報を基に、ユーザへの洗濯終了通知処理の実行から所定時間のうちに、ユーザの操作（洗濯物の取り出し）を受けたか否かを判断
【０２６３】
　
ステップＳ５６において、ユーザへの洗濯終了通知処理の実行から所定時間のうちに、ユーザの操作（洗濯物の取り出し）を受けていないと判断された場合、処理は、ステップＳ５３戻り、
処理要求生成部３０９は、ソフトウェアセル生成部３０５を制御して、これまでの処理実行リクエストコマンドとは異なる送信先が指定された処理実行リクエストコマンドを生成して、ソフトウェアセル送受信制御部３０６に供給
ソフトウェアセル送受信制御部３０６は、供給された処理実行リクエストコマンドを、ホームネットワーク２５１を介して、指定された
、２番目の装置として、ラジオ２８１に処理実行リクエストコマンドが送信され
【０２６４】
　ステップＳ５７において、ラジオ２８１のソフトウェアセル送受信制御部３０６は、ステップＳ５３においてパーソナルコンピュータ２６１（当審注：「
洗濯機２７５
【０２６５】
　
ステップＳ５８において、ラジオ２８１のソフトウェアセル解析部３０７は、供給された処理実行リクエストコマンドを解析して、解析結果を、動作制御部３１１に供給し、動作制御部３１１は、供給された解析結果に含まれる利用統計情報を参照して、
音声出力などの、ユーザへの洗濯終了通知処理を実行
【０２６６】
　
ステップＳ５６において、ユーザへの洗濯終了通知処理の実行から所定時間のうちに、ユーザの操作（洗濯物の取り出し）を受けたと判断された場合、ステップＳ５９において、洗濯機２７５の処理要求生成部３０９は、処理が終了したことを認識し、ソフトウェアセル生成部３０５に処理実行キャンセルリクエストコマンドを生成させ、ソフトウェアセル送受信制御部３０６に、ホームネットワーク２５１を介して、処理実行リクエストコマンドの送信先となったすべての装置に対して、処理実行キャンセルリクエストコマンドを送信
【０２６７】
　
ステップＳ６０において、携帯電話機２６４のソフトウェアセル送受信制御部３０６は、ステップＳ５９において
洗濯機２７５
から送信された処理実行キャンセルリクエストコマンドを受信し、ソフトウェアセル解析部３０７に供給
ソフトウェアセル解析部３０７は、処理実行キャンセルリクエストコマンドの解析結果をソフトウェアセル生成部３０５に供給するので、ソフトウェアセル生成部３０５は、処理実行キャンセルリクエストコマンドの受信を通知するための処理実行キャンセルレスポンスコマンドを生成して、ソフトウェアセル送受信制御部３０６に供給
ソフトウェアセル送受信制御部３０６は、供給された処理実行キャンセルレスポンスコマンドを、ホームネットワーク２５１を介して、洗濯機２７５に送信
【０２６８】
　また、
ステップＳ６１において、ステップＳ６０において携帯電話機２６４が実行した処理と基本的に同様の処理が、ラジオ２８１において実行されて、処理が終了され
【０２６９】
　
このような処理により、洗濯機２７５の処理が終了したとき、ユーザが洗濯機２７５のそばにいないで、どこか異なる場所にいたとしても、利用統計情報が参照されて、その時間帯にユーザが利用している、または、近傍に存在する可能性が高い機器で、かつ、音声または映像出力の機能のある機器が選択されて、洗濯機２７５の終了を通知することができる
ク　段落【０２８７】−【０２８８】
「【０２８７】
　ステップＳ１１２において、洗濯機２７５の処理要求生成部３０９は、全利用統計情報記憶部３０８に記憶されている
利用統計情報を参照して
【０２８８】
　ステップＳ１１３において、
洗濯機２７５
は、
ラジオ２８１およびロケーションフリーＴＶ２６５に、音声データの再生中であるか否かを判断させ、音声データの再生中である場合は、再生中の音声データをＰＤＡ２６３に送信させる
　よって、上記各記載事項を関連図面に照らし、下線部に着目すれば、引用文献１には次の発明（以下、「引用発明」という。）が記載されているといえる。
「ホームネットワーク２５１には、携帯電話機２６４、ロケーションフリーＴＶ２６５、洗濯機２７５、および、ラジオ２８１などが、有線、または、無線で接続され、
　例えば、洗濯機２７５の終了通知を他の機器を用いて行う場合に、洗濯機２７５は、利用統計情報を参照し、その時間帯にユーザが近傍に存在する可能性が最も高い機器で、かつ、音声または映像出力の機能のある機器を、通知処理の実行要求を送信する機器として選択することができ、洗濯機２７５の終了通知を行う機器として選択された機器が、ロケーションフリーＴＶ２６５である場合、表示部に、洗濯機２７５の処理が終了したことをユーザに通知するためのメッセージが表示され、ユーザは、洗濯機２７５の扉を開けて洗濯物を取り出すことにより、終了通知を確認したことを洗濯機２７５に認識させることができ、洗濯機２７５は、ユーザが終了通知を確認したことを認識することができなかった場合、次にその時間帯にユーザが近傍に存在する可能性が高い機器で、かつ、音声または映像出力の機能のある機器を選択し、終了通知を実行させることができる方法であって、
　ステップＳ５１において、洗濯機２７５の処理要求生成部３０９は、動作情報取得部３１２により取得された洗濯終了を示す動作情報の供給を受け、
　ステップＳ５２において、洗濯機２７５の処理要求生成部３０９は、全利用統計情報記憶部３０８に記憶されている利用統計情報を参照して、ユーザへの洗濯終了通知処理実行を指令する装置の優先順位を決定し、具体的には、ユーザに対して、表示などを用いて、洗濯機２７５の終了を通知する機能を有する装置であって、現在の時刻に、洗濯機２７５を使用しているユーザが利用している可能性の高い装置を、優先順位の高い装置として選択し、
　ステップＳ５３において、洗濯機２７５の処理要求生成部３０９は、ユーザに洗濯機２７５の処理の終了を通知させる処理を他の装置に実行させるためのコマンドの生成と出力を、ソフトウェアセル生成部３０５に要求し、ソフトウェアセル生成部３０５は、処理実行リクエストコマンドを生成して、ソフトウェアセル送受信制御部３０６に供給し、ソフトウェアセル送受信制御部３０６は、供給された処理実行リクエストコマンドを、ホームネットワーク２５１を介して、ステップＳ５２の処理により優先順位が上位であるとされた装置に送信し、
　優先順位の高い装置として、携帯電話機２６４、および、ラジオ２８１が選択された場合、
　ステップＳ５４において、携帯電話機２６４のソフトウェアセル送受信制御部３０６は、ステップＳ５３において洗濯機２７５から送信された処理実行リクエストコマンドを受信し、ソフトウェアセル解析部３０７に供給し、
　ステップＳ５５において、携帯電話機２６４のソフトウェアセル解析部３０７は、供給された処理実行リクエストコマンドを解析して、解析結果を、動作制御部３１１に供給し、動作制御部３１１は、供給された解析結果に含まれる利用統計情報を参照して、例えば、音声出力や、メッセージの表示、または、バイブレーションの実行などの、ユーザへの洗濯終了通知処理を実行し、
　ステップＳ５６において、洗濯機２７５の処理要求生成部３０９は、動作情報取得部３１２から供給される、洗濯機２７５の扉の開閉を示す情報を基に、ユーザへの洗濯終了通知処理の実行から所定時間のうちに、ユーザの操作（洗濯物の取り出し）を受けたか否かを判断し、
　ステップＳ５６において、ユーザへの洗濯終了通知処理の実行から所定時間のうちに、ユーザの操作（洗濯物の取り出し）を受けていないと判断された場合、処理は、ステップＳ５３戻り、処理要求生成部３０９は、ソフトウェアセル生成部３０５を制御して、これまでの処理実行リクエストコマンドとは異なる送信先が指定された処理実行リクエストコマンドを生成して、ソフトウェアセル送受信制御部３０６に供給し、ソフトウェアセル送受信制御部３０６は、供給された処理実行リクエストコマンドを、ホームネットワーク２５１を介して、指定された、２番目の装置として、ラジオ２８１に処理実行リクエストコマンドが送信され、
　ステップＳ５８において、ラジオ２８１のソフトウェアセル解析部３０７は、供給された処理実行リクエストコマンドを解析して、解析結果を、動作制御部３１１に供給し、動作制御部３１１は、供給された解析結果に含まれる利用統計情報を参照して、音声出力などの、ユーザへの洗濯終了通知処理を実行し、
　ステップＳ５６において、ユーザへの洗濯終了通知処理の実行から所定時間のうちに、ユーザの操作（洗濯物の取り出し）を受けたと判断された場合、ステップＳ５９において、洗濯機２７５の処理要求生成部３０９は、処理が終了したことを認識し、ソフトウェアセル生成部３０５に処理実行キャンセルリクエストコマンドを生成させ、ソフトウェアセル送受信制御部３０６に、ホームネットワーク２５１を介して、処理実行リクエストコマンドの送信先となったすべての装置に対して、処理実行キャンセルリクエストコマンドを送信し、
　ステップＳ６０において、携帯電話機２６４のソフトウェアセル送受信制御部３０６は、ステップＳ５９において洗濯機２７５から送信された処理実行キャンセルリクエストコマンドを受信し、ソフトウェアセル解析部３０７に供給し、ソフトウェアセル解析部３０７は、処理実行キャンセルリクエストコマンドの解析結果をソフトウェアセル生成部３０５に供給するので、ソフトウェアセル生成部３０５は、処理実行キャンセルリクエストコマンドの受信を通知するための処理実行キャンセルレスポンスコマンドを生成して、ソフトウェアセル送受信制御部３０６に供給し、ソフトウェアセル送受信制御部３０６は、供給された処理実行キャンセルレスポンスコマンドを、ホームネットワーク２５１を介して、洗濯機２７５に送信し、
　ステップＳ６１において、ステップＳ６０において携帯電話機２６４が実行した処理と基本的に同様の処理が、ラジオ２８１において実行されて、処理が終了され、
　このような処理により、洗濯機２７５の処理が終了したとき、ユーザが洗濯機２７５のそばにいないで、どこか異なる場所にいたとしても、利用統計情報が参照されて、その時間帯にユーザが利用している、または、近傍に存在する可能性が高い機器で、かつ、音声または映像出力の機能のある機器が選択されて、洗濯機２７５の終了を通知することができる、方法。」
（３）　引用文献２−４の記載事項
ア　引用文献２
　当審拒絶理由通知で引用された、本願の優先日前に頒布された又は電気通信回線を通じて公衆に利用可能となった、特開２００２−３６９２５７号公報（平成１４年１２月２０日出願公開。以下、「引用文献２」という。）には、図面（特に、【図１】、【図３】、【図４】を参照。）と共に、次の事項が記載されている。
（ア）　段落【００２８】−【００３４】
「【００２８】上記のような構成の携帯電話機に着信がなされた場合、例えば、図３に示す手順に従って処理が行われる。
【００２９】
図３において、携帯電話機１００に公衆網からの着信がなされると
着信通知の出力が可能な外部機器の探索を要求するための機器要求情報
【００３０】この処理により、短距離無線制御部１１０及び発信器１１１を介して
機器問い合わせ情報が、例えば、Bluetoothのプロトコルに従って当該携帯電話機１００の周囲に送信される（３）
この携帯電話機１００の周囲に存在するステレオ装置２０１及びテレビ装置２０２
がその機器問い合わせ情報を受信すると、それらのオーディオ装置２０１、２０２は、Bluetoothのプロトコルに従って機器応答情報を携帯電話機１００に送信する（４）
【００３１】
この機器応答情報には
そのオーディオ機器の現在の動作状態（オン状態、オフ状態、再生中、停止中など）に関する情報
が含まれる
【００３２】このようにステレオ装置２０１及びテレビ装置２０２からの機器応答情報を受信器１１２が受信すると、その機器応答情報は短距離無線制御部１１０及び機器発見部１１５を介して制御部１２０に供給される（５）。
制御部１２０は、各オーディオ装置（ステレオ装置２０１、テレビ装置２０２）からの機器応答情報に基づいて着信通知を出力するための機器を選択する（６）
【００３３】
図４において、まず、各オーディオ装置から送信された機器応答情報に含まれる動作状態に関する情報に基づいて、メディア（音楽、映像など）の再生状態（オン状態で、再生中）にある機器が選択される（Ｓ６１）
【００３４】なお、上記のように異なった基準に従って３段階の外部機器選択の処理（Ｓ６１、Ｓ６２、Ｓ６３）が行われるが、その途中で選択された外部機器が１つとなったときには、その時点でその選択の処理は終了される。また、３段階の外部機器選択の処理が終了した時点で選択された外部機器が複数ある場合、更に、その中から、任意の１つが選択される。」
（イ）　段落【００３９】
「【００３９】更に、着信通知の出力機器として図１に示すテレビ装置２０２が選択されると、携帯電話機１００から、例えば、発信者の電話番号、発信者の名前、発信者の写真が着信データとしてそのテレビ装置２０２に送信される。この場合、
テレビ装置２０２は、その着信データを受信すると、表示中の映像に重畳させて、発信者の電話番号、発信者の名前、発信者の写真を表示する（図１参照）
イ　引用文献３
　当審拒絶理由通知で引用された、本願の優先日前に頒布された又は電気通信回線を通じて公衆に利用可能となった、特開２００４−１５１６９号公報（平成１６年１月１５日出願公開。以下、「引用文献３」という。）には、図面（特に、【図６】、【図９】を参照。）と共に、次の事項が記載されている。
（ア）　段落【００７２】−【００７６】
「【００７２】
動作状況送信部１１３は、動作状況取得部１１２で所定の動作状況が取得された場合に、検出信号受信部１１１で検出信号が受信されたことを条件に、取得された所定の動作状況を、通信部１３０および
家庭内ＬＡＮ４００を介して、テレビ２００に送信する
所定の動作状況は、予め定められた動作状況であって、たとえば、「洗濯開始」、「洗い終了」、「すすぎ終了」および「乾燥終了」などである
【００７３】
テレビ２００は、
　　　・・・（中略）・・・
【００７６】
情報出力部２１２は、動作状況受信部２１１で
受信された動作状況を出力部２５０に出力する
（イ）　段落【００８４】
「【００８４】
以上、説明したように、第１の実施の形態におけるネット家電システムにおいて、
洗濯機１００は、所定の動作状況を取得した場合、センサ３００から人が近傍にいることを示す検出信号を受信したことを条件に、所定の動作状況をセンサ３００と同じ部屋に設置されたテレビ２００に送信する
このため、テレビ２００の近傍に人がいる場合に、洗濯機１００の動作状況をテレビ２００で出力することができ
（ウ）　段落【００８７】−【００９３】
「【００８７】
（第１の実施の形態の第１の変形例）
第１の実施の形態の第１の変形例においては、第１の実施の形態の洗濯機１００に検出信号送信要求部１１４を追加した洗濯機１００Ａが、センサ３００に検出信号の送信を要求して、センサ３００から検出信号を受信する場合について説明する。
【００８８】
図５は、第１の実施の形態の第１の変形例におけるネット家電システムの洗濯機１００Ａの情報伝達機能を示す機能ブロック図である。図５を参照して、ネット家電システムは、洗濯機１００Ａと、テレビ２００と、センサ３００とを含む。テレビ２００と、センサ３００とについては、図２で説明したので、説明は繰返さない。
【００８９】
洗濯機１００Ａは、洗濯機１００Ａの情報伝達機能を制御する制御部１１０Ａと、洗濯機１００Ａを家庭内ＬＡＮ４００と接続するためのインタフェイスである通信部１３０と、洗濯機１００Ａの運転を制御する運転制御部１６０とを含む。
【００９０】
洗濯機１００Ａの制御部１１０Ａは、検出信号受信部１１１と、動作状況取得部１１２と、動作状況送信部１１３と、検出信号送信要求部１１４とを含む。検出信号受信部１１１と、動作状況取得部１１２と、動作状況送信部１１３とについては、図２で説明したので、説明は繰返さない。
【００９１】
検出信号送信要求部１１４は、検出信号の送信をセンサ３００に要求する。センサ３００は、この要求に従って、検出信号を洗濯機１００Ａに送信する
【００９２】
図６は
検出信号送信要求部１１４により、検出信号の送信がセンサ３００に要求される（ステップＳ１９）
検出信号受信部１１１により、センサ３００から検出信号が受信されたか否かが判断され
（ステップＳ１５）
【００９３】
以上、説明したように、
第１の実施の形態の第１の変形例において、洗濯機１００Ａは、センサ３００に検出信号の送信を要求して、センサ３００から検出信号を受信する。このため、必要に応じて、検出信号を受信することができる
（エ）　段落【０１１３】−【０１２２】
「【０１１３】
（
第１の実施の形態の第３の変形例
第１の実施の形態の第３の変形例においては、第１の実施の形態における
センサ３００Ｂが、テレビ２００に備えられる場合
【０１１４】
図９は
【０１１５】
テレビ２００Ａは、
センサ３００Ｂとを含む
【０１１６】
センサ３００Ｂは、操作検出部３７０と、検出信号送信部３１２Ｂとを含む。
テレビ２００Ａの制御部２１０Ａは、動作状況受信部２１１と、情報出力部２１２とを含む。
【０１１７】
洗濯機１００Ｃは、洗濯機１００Ｃの情報伝達機能を制御する制御部１１０Ｃと、洗濯機１００Ｃを家庭内ＬＡＮ４００と接続するためのインタフェイスである通信部１３０と、洗濯機１００Ｃの運転を制御する運転制御部１６０とを含む。
【０１１８】
洗濯機１００Ｃの制御部１１０Ｃは、検出信号受信部１１１Ｂと、動作状況取得部１１２と、動作状況送信部１１３とを含む。
【０１１９】
センサ３００Ｂ
は、テレビ２００Ａの運転制御部２６０から、テレビ２００Ａが人に操作されているか否かを検出する
たとえば、テレビ２００Ａのリモコンが操作されると、運転制御部２６０にリモコンからの操作信号が入力される
操作検出部３７０は、入力された操作信号を検出することにより、テレビ２００Ａが人に操作されているか否かを検出することができる
【０１２０】
センサ３００Ｂの検出信号送信部３１２Ｂは、操作検出部３７０で人による操作が検出された場合、人に操作されていることを示す検出信号を、テレビ２００Ａの通信部２３０および家庭内ＬＡＮ４００を介して、洗濯機１００Ｃに送信する。また、検出信号送信部３１２Ｂは、操作検出部３７０で人による操作が検出されない場合、人に操作されていないことを示す不検出信号を、洗濯機１００Ｃに送信するようにしてもよい。
【０１２１】
洗濯機１００Ｃの検出信号受信部１１１Ｂは、テレビ２００Ａに備えられたセンサ３００Ｂから家庭内ＬＡＮ４００および通信部１３０を介して、検出信号を受信したか否かを判断する。そして、検出信号受信部１１１Ｂは、所定の時間、検出信号が受信されない場合は、受信していないと判断する。所定の時間とは、検出信号を受信し始めてから、受信していないと判断するまでの時間であり、たとえば、１分間である。また、検出信号送信部３１２Ｂが検出信号あるいは不検出信号を送信するようにした場合、検出信号受信部１１１Ｂは、検出信号あるいは不検出信号のいずれを受信したかを判断するようにしてもよい。
【０１２２】
洗濯機１００Ｃの動作状況取得部１１２と動作状況送信部１１３との機能、および、テレビ２００Ａの動作状況受信部２１１と情報出力部２１２の機能については、図２で説明したので、説明は繰返さない。」
（オ）　段落【０１２９】−【０１４０】
「【０１２９】
（
第１の実施の形態の具体例
図１１は、第１の実施の形態の具体例におけるネット家電システムの概略を示す図である。図１１を参照して、ネット家電システムは、ネット家電システムは、洗濯機５０１と、電子レンジ５０２と、テレビ５０３と、ＤＶＤプレーヤ５０４と、モニタ５０５と、ゲーム機５０６と、センサ６０１，６０２とを含む。部屋１には、洗濯機５０１が設置される。部屋２には、電子レンジ５０２が設置される。部屋３には、テレビ５０３と、ＤＶＤプレーヤ５０４と、センサ６０１とが設置される。部屋４には、モニタ５０５と、ゲーム機５０６と、センサ６０２とが設置される。また、図には記載していないが、各機器は、家庭内ＬＡＮ４００に接続されており、互いに情報を送受信することが可能である。
【０１３０】
第１の実施の形態の具体例においては、それぞれの家電５０１〜５０６が、以下のように使用されている時を例に説明する。
【０１３１】
洗濯機５０１は、母親によって使用中であり、脱水運転中である。
電子レンジ５０２は、母親によって使用中であり、パンの発酵処理運転中である。
【０１３２】
ＤＶＤプレーヤ５０４は、映画を再生中であり、テレビ５０３は、ＤＶＤプレーヤ５０４で再生された映画を出力している。母親は、洗濯機５０１で洗濯を開始させ、電子レンジ５０２でパンの発酵処理を開始させた後、部屋３で、テレビ５０３およびＤＶＤプレーヤ５０４で再生されている映画を鑑賞している。
【０１３３】
ゲーム機５０６は、ゲームソフトを実行中であり、モニタ５０５は、ゲーム機５０６で実行されているゲームを出力している。子供は、部屋４にいて、モニタ５０５およびゲーム機５０６を用いてゲームをしている。
【０１３４】
動作状況送信側の家電である洗濯機５０１と電子レンジ５０２とでは、まず、所定の動作状況が取得される。ここでは、所定の動作状況は、洗濯機５０１については、「脱水終了」であり、電子レンジ５０２については、「パン発酵終了」である。
【０１３５】
そして、
所定の人が近傍にいることを示す検出信号の送信をセンサ６０１，６０２に要求する
【０１３６】
次に、所定の人を検出したセンサ６０１から検出信号が受信される
【０１３７】
最後に、検出信号を送信したセンサ６０１と同じ部屋の家電に所定の動作状況が送信される
ここでは、センサ６０１と同じ部屋の家電であるテレビ５０３およびＤＶＤプレーヤ５０４に、洗濯機５０１の「脱水終了」と電子レンジ５０２の「パン発酵終了」とが送信される
【０１３８】
動作状況受信側の家電では、まず、動作状況送信側の家電から所定の動作状況が受信されたか否かが判断される。ここでは、動作状況受信側の家電は、テレビ５０３およびＤＶＤプレーヤ５０４である。モニタ５０５およびゲーム機５０６の近傍には、所定の人である母親がいないために、動作状況は送信されない。また、洗濯機５０１から所定の動作状況である「脱水終了」が受信され、電子レンジ５０２から「パン発酵終了」が受信される。
【０１３９】
そして、受信された所定の動作状況がテレビ５０３およびＤＶＤプレーヤ５０４の出力部に出力される。
【０１４０】
以上、説明したように、第１の実施の形態の具体例におけるネット家電システムでは、動作状況送信側の家電である洗濯機５０１および電子レンジ５０２は、所定の人である母親が近傍にいる動作状況受信側の家電であるテレビ５０３およびＤＶＤプレーヤ５０４に、所定の動作状況である「脱水終了」および「パン発酵終了」をそれぞれ送信する。また、動作状況受信側の家電であるテレビ５０３およびＤＶＤプレーヤ５０４は、受信した動作状況である「脱水終了」および「パン発酵終了」を出力する。このため、母親は、テレビ５０３およびＤＶＤプレーヤ５０４で、洗濯機５０１の「脱水終了」および電子レンジ５０２の「パン発酵終了」を知ることができる。また、子供は、動作状況の出力に邪魔をされずに、ゲームを楽しむことができる。その結果、所定の人にのみ、必要に応じて情報を伝達することが可能な情報伝達システムを提供することができる。」
ウ　引用文献４
　当審拒絶理由通知で引用された、本願の優先日前に頒布された又は電気通信回線を通じて公衆に利用可能となった、特開２００８−１３５９３５号公報（平成２０年６月１２日出願公開。以下、「引用文献４」という。）には、図面（特に、【図２】、【図３】、【図６】の記載を参照。）と共に、次の事項が記載されている。
（ア）　段落【００５５】−【００６７】
「【００５５】
　次に、図６及び７に基づいて、本実施形態にかかるテレビ電話システム１００により実行される処理の一例を説明する。ここで、図６は、本実施形態にかかるテレビ電話システム１００により実行される、
テレビ電話機１２０への着信時の処理
【００５６】
　図６及び７を参照すると、まず、ステップＳ２００で、テレビ電話機１２０に対し着信があったことを、テレビ電話サーバ１１０が検出する。
【００５７】
　次いで、ステップＳ２０２で、テレビ電話サーバ１１０は、ＡＶ機器サーバ１３０に対し、着信があったことを通知するための着信通知を送信する。テレビ電話サーバ１１０は、着信通知と同時に、テレビ電話機１２０のナンバーディスプレイ機能等により取得された発信者番号や、発信者番号に対応付けて登録された発信者名等の発信者情報を取得し、ＡＶ機器サーバ１３０に通知するようにしてもよい。
【００５８】
　ＡＶ機器サーバ１３０は、ステップＳ２０４で着信通知を受信すると、ステップＳ２０６で現在テレビ受像機１４０において表示中のコンテンツの一部を上書きして、図２に示すように、着信を通知する表示が行われるように合成映像を生成する。また、テレビ電話サーバ１１０から、着信通知と同時に発信者情報が通知された場合は、図３に示すように、着信通知と共に発信者情報が画面に表示されるように合成映像を生成する。
【００５９】
　ここで、テレビ受像機１４０において、例えば電源がオフになっている等で、コンテンツが表示されていない場合は、映像の合成を行わないようにしてもよい。あるいは、テレビ制御部１３４によってテレビ受像機１４０の電源状態を調べ、電源状態がオフの場合は、自動的にオンに切り替える等して、受信されたテレビ番組等のコンテンツを用いて合成映像を生成するようにしてもよい。
【００６０】
　
次いで、ステップＳ２０８で、
図２または図３に示す例のように、テレビ受像機１４０の画面に着信通知
を表示させる
【００６１】
　さらに、テレビ電話機１２０において着信に対する応答がなされた場合、ステップＳ２１０で、テレビ電話サーバ１１０は、テレビ電話機１２０から応答通知を受信する。次いで、ステップＳ２１２で、テレビ電話サーバ１１０は、通話が開始されたことを通知する通話開始通知をＡＶ機器サーバ１３０に送信する。通話開始通知を受信したＡＶ機器サーバ１３０は、
ステップＳ２１４で、通話が開始された旨をテレビ受像機１４０に表示する
【００６２】
　テレビ電話機１２０において通話が開始されるとテレビ電話サーバ１１０は、電話回線を通じて発信元の電話機から音声信号と映像信号とを受信する。音声信号はテレビ電話機１２０に送信され、ユーザは、テレビ電話機１２０に設けられた受話器等により、相手と通話を行う。また、映像信号はテレビ電話サーバ１１０に送信される。ステップＳ２１６において、テレビ電話サーバ１１０は、受信した映像信号を映像デコード部に渡して映像をデコードする。
【００６３】
　デコードされた映像信号は、通信映像送信部１１４によってＡＶ機器サーバ１３０に送信され、ステップＳ２１８において、ＡＶ機器サーバ１３０に受信される。ステップＳ２２０で、ＡＶ機器サーバ１３０は、受信した映像信号と現在テレビ受像機１４０に表示中のコンテンツとを合成する。次いで、ステップＳ２２２で合成された合成映像をテレビ受像機１４０に送信し、例えば、図４または図５に示す例のように、合成映像をテレビ受像機１４０の画面上に表示させる。
【００６４】
　このようにして、通話中、通話相手のテレビ電話から送信される映像を、テレビ電話サーバ１１０がＡＶ機器サーバ１３０に送信し、ＡＶ機器サーバ１３０は、映像合成を行ってテレビ受像機１４０に表示させるという処理が繰り返し行われる。
【００６５】
　その後、テレビ電話機１２０あるいは通話相手のテレビ電話機において、呼が切断されたとする。すると、ステップＳ２２４において、テレビ電話サーバ１１０は、通話が終了した旨の通知を受信する。
【００６６】
　テレビ電話サーバ１１０は、通話終了の通知を受信すると、ステップＳ２２６で、通話終了通知をＡＶ機器サーバ１３０に対して送信する。
【００６７】
　ステップＳ２２８で、ＡＶ機器サーバ１３０は、テレビ電話サーバ１１０から通話終了通知を受信すると、
ステップＳ２３０で、テレビ受像機１４０の画面に通話終了を通知する表示が行われるように、映像合成を行って、テレビ受像機１４０に表示する
（４）　他の周知文献
  原査定時の「引用文献４」である、本願の優先日前に頒布された又は電気通信回線を通じて公衆に利用可能となった、特開２００７−１７３９２０号公報（平成１９年７月５日出願公開。以下、「周知文献１」という。）には、図面（特に、【図２】、【図６】を参照。）と共に、次の事項が記載されている。
ア　段落【００１０】−【００１１】
「【００１０】
　また、
本発明の通信端末装置は
前記複数の前記外部装置の中から、前記電源状態がオンである外部装置を選定する構成を有する
【００１１】
　
この構成により
使用中である外部装置を選定するため、イベントが発生したことをユーザに認識させる可能性を高めることができる
イ　段落【００２６】−【００２８】
「【００２６】
　（実施の形態１）
　図２は、本発明の実施の形態１における通信システムの概略構成を示す図である。
【００２７】
　通信システム１は、通信端末装置である携帯電話機１０と、外部装置である携帯ゲーム機２０、音楽プレイヤ３０、カーナビゲーション４０、テレビ５０及び腕時計６０とから構成されている。
【００２８】
　
携帯電話機１０は、
イベントが発生したことを周辺に存在する携帯ゲーム機２０、音楽プレイヤ３０、カーナビゲーション４０、テレビ５０又は時計６０の中から、適切な通知対象を選定して通知することができる
ウ　段落【００８６】
「【００８６】
　次に、外部装置管理手段１６は、予め登録されている各外部装置の電源状態を全て「ＯＦＦ」に初期化する。また、予め登録されている識別情報を含む電源状態取得要求信号を外部装置用通信手段１７に対して送出し、計時手段（図示せず）による一定時間（例えば、５秒とする）の計時を開始させる。外部装置用通信手段１７は、識別情報に基づき、
各外部装置の通信端末装置用通信手段に対して、通信要求信号（通信種別：電源状態取得）を送出し（ステップＳ３）、通信応答信号（通信種別：電源状態取得）を受信したか否かを判定する（ステップＳ４）
（５）　引用発明との対比
　本件補正発明と引用発明とを対比すると、以下のことがいえる。
ア　引用発明の「洗濯機２７５」は、有線又は無線で「ホームネットワーク２５１」に接続されているから、本件補正発明の「ネットワーク内の第１デバイス」に相当する。
　引用発明の「洗濯機２７５の終了通知」（「洗濯終了通知」）は、本件補正発明の「デバイスの作動状態変更の通知」に相当する。
　よって、引用発明の「洗濯機２７５の終了通知を他の機器を用いて行う」、一連のステップからなる方法は、本件補正発明の「ネットワーク内の第１デバイスによって実行される、デバイスの作動状態変更の通知方法」に相当する。
イ　引用発明の「洗濯機２７５」が「洗濯終了」することは、本件補正発明の「前記第１デバイスの作動状態における１次変更」に相当する。
　引用発明の「ユーザが利用している可能性の高い装置を、優先順位の高い装置として選択し」、「優先順位の高い装置として、携帯電話機２６４、および、ラジオ２８１が選択された場合」における「携帯電話機２６４、および、ラジオ２８１」は、本件補正発明の「前記ユーザが現在使用中の少なくとも１つの第２デバイス」と、「前記ユーザ
の使用可能性に基づいて
　よって、引用発明において「ユーザが近傍に存在する可能性が最も高い機器」を選択するために、「
ステップＳ５１において
洗濯終了を示す動作情報の供給を受け
ステップＳ５２において
ユーザへの洗濯終了通知処理実行を指令する装置の優先順位を決定し
ユーザによって現在使用されているデバイスを検索していることを示す検索信号を前記ネットワークの１つ以上のデバイスに伝送し、前記検索信号に応答して前記１つ以上のデバイスからユーザの現在の使用状態又は未使用状態を示す情報を受け取ることにより、
が現在使用中の
と、前
の使用可能性に基づいて
ウ　引用発明の「
ステップＳ５３において
洗濯機２７５の処理の終了を通知させる処理を他の装置に実行させるためのコマンドの生成と出力
処理実行リクエストコマンドを、ホームネットワーク２５１を介して
優先順位が上位であるとされた装置に送信し
現在使用中の
記少
エ　引用発明における「洗濯終了」後の「ユーザの操作（洗濯物の取り出し）」を示す「洗濯機２７５の扉の開閉を示す情報」は、本件補正発明の「前記１次変更に対するユーザの対応を示すユーザ応答」に相当する。
　引用発明の「洗濯機２７５」が「ユーザの操作（洗濯物の取り出し）を受けた」ことは、本件補正発明の「前記第１デバイスの作動状態における２次変更」に相当する。
　よって、引用発明の「
ステップＳ５６において
洗濯機２７５の扉の開閉を示す情報を基に、
ユーザの操作（洗濯物の取り出し）を受けたか否かを判断し
ステップＳ５６において
ユーザの操作（洗濯物の取り出し）を受けたと判断された場合
ステップＳ５９において
ホームネットワーク２５１を介して、処理実行リクエストコマンドの送信先となったすべての装置に対して、処理実行キャンセルリクエストコマンドを送信し
ステップＳ６０において、携帯電話機２６４
は、ステップＳ５９において洗濯機２７５から送信された処理実行キャンセルリクエストコマンドを受信し
オ　引用発明の「
ステップＳ５５において、携帯電話機２６４
は、
メッセージの表示
などの、ユーザへの洗濯終了通知処理を実行し
　以上のことから、本件補正発明と引用発明との一致点及び相違点は、次のとおりである。
［一致点］
「ネットワーク内の第１デバイスによって実行される、デバイスの作動状態変更の通知方法であって、
　前記第１デバイスの作動状態における１次変更が生じる
と、前
の使用可能性に基づいて
　前
記少
　前記第１デバイスの前記作動状態における前記１次変更に対するユーザの対応を示すユーザ応答を受け取ることにより、前記第１デバイスの作動状態における２次変更が生じると、前記第１デバイスの前記作動状態における前記２次変更を示す情報を前記少なくとも１つの第２デバイスに伝送する段階と、
　を含み、
　前記第１デバイスの前記作動状態における前記１次変更を示す情報は、前記少なくとも１つの第２デバイスのディスプレイ部に所定のユーザインターフェースを通じて表示され
る、方
［相違点１］
　「少なくとも１つの第２デバイスを検索する段階」について、本件補正発明では、前記第１デバイスの作動状態における１次変更が生じると、「ユーザによって現在使用されているデバイスを検索していることを示す検索信号を前記ネットワークの１つ以上のデバイスに伝送し、前記検索信号に応答して前記１つ以上のデバイスからユーザの現在の使用状態又は未使用状態を示す情報を受け取ることにより」、「ユーザが現在使用中の」少なくとも１つの第２デバイスを検索して、「前記
現在使用中の
［相違点２］
　本件補正発明では、「前記第１デバイスの前記作動状態における前記２次変更が生じると、前記第１デバイスの前記作動状態の前記２次変更を示す情報を表示するよう前記ユーザインターフェースが変更される」のに対して、引用発明の「ステップＳ６０」、「ステップＳ６１」では、「処理実行キャンセルリクエストコマンド」を受信した際に、「携帯電話機２６４」などが、具体的にどのような内容のユーザインタフェースを提示するのかが特定されていない点。
　
（６）　判断
［相違点１］について
　引用文献１の段落【００１２】には「本発明は　……　
ユーザの利用情報などを用いて
装置の利用に関する第１の情報
例えば、利用統計情報
利用統計情報
　また、引用文献１の段落【０２８８】（上記「（２）ク」を参照。）には、洗濯中は、ラジオの音声データを、ユーザが保持する他の機器（ＰＤＡ）に転送するという、別の実施例についての記載であるが、「洗濯機２７５」が、「ラジオ２８１およびロケーションフリーＴＶ２６５に、音声データの再生中であるか否かを判断させ、音声データの再生中である場合は、再生中の音声データをＰＤＡ２６３に送信させる」ことが記載されるから、引用発明においても、利用統計情報を参照して選択された各デバイスに対して、装置の使用状態を受け取ることで、ユーザにより使用されているデバイスを検索するようにすることは可能であるといえる。
　一般に、複数のデバイスを連携して動作させる際、各々のデバイスから動作状態等の情報を受け取ることによって、ユーザが使用中のデバイスを検索することは、引用文献２（上記「（３）ア（ア）　段落【００２８】−【００３４】」の下線部を参照。）、引用文献３（上記「（３）イ（ウ）　段落【００８７】−【００９３】」、及び、「（エ）　段落【０１１３】−【０１２２】」の下線部を参照。）、周知文献１（上記「（４）アーウの下線部を参照。）に記載されるように周知技術である。
　また、各デバイスから情報を受け取るための手順として、一般に「コマンド／レスポンス方式」として知られるように、情報を受け取る側のデバイスからの所定の情報の「要求」に対する「応答」として、所定の情報を受け取る方法は、引用文献２（上記「（３）ア（ア）　段落【００２８】−【００３４】」の下線部を参照。）、引用文献３（上記「（３）イ（ウ）　段落【００８７】−【００９１】」、及び、「（オ）　段落【０１２９】−【０１４０】」の下線部を参照。）、周知文献１（上記「（４）ウの下線部を参照。）に記載されるように、さらに、引用文献１（上記「（２）カ　段落【０１９６】−【０２００】」の「利用統計情報
リクエスト
レスポンス
　よって、引用発明の機器の選択において、「装置の利用に関する情報」として、各々のデバイスから動作状態等の情報を受信することによって、ユーザが使用中の機器を検索する周知技術を採用するとともに、この際、各デバイスから情報を受け取るための手順として、一般に「コマンド／レスポンス方式」として知られる、情報を受け取る側のデバイスからの「要求」に対する「応答」として、情報を受け取る周知技術を採用することによって、前記第１デバイスの作動状態における１次変更が生じると、「ユーザによって現在使用されているデバイスを検索していることを示す検索信号を前記ネットワークの１つ以上のデバイスに伝送し、前記検索信号に応答して前記１つ以上のデバイスからユーザの現在の使用状態又は未使用状態を示す情報を受け取ることにより」、「ユーザが現在使用中の」少なくとも１つの第２デバイスを検索して、「前記
現在使用中の
［相違点２］について
　一般に、機器の動作中、ユーザインタフェースに、どのような内容を表示させるかは、ユーザの使い勝手や、装置が実行している具体的な処理内容などを考慮して、適宜選択すべき設計的事項であるといえる。
　所定の動作の開始や終了などの機器の状態の変化に応じて、ユーザインタフェースの表示内容を随時変更することは、引用文献３（上記「（３）イ（ア）　段落【００７２】−【００７６】」の下線部を参照。）、引用文献４（上記「（３）ウ（ア）　段落【００５５】−【００６７】」の下線部を参照。）に記載されるように周知技術である。
　よって、引用発明の「ステップＳ６０」で「携帯電話機２６４」が「処理実行キャンセルリクエストコマンド」を受信した際、例えば、「処理実行がキャンセルされました。」と表示するなど、機器の状態の変化に応じて、ユーザインタフェースの表示内容を随時変更する周知技術を採用することによって、「前記第１デバイスの前記作動状態における前記２次変更が生じると、前記第１デバイスの前記作動状態の前記２次変更を示す情報を表示するよう前記ユーザインターフェースが変更される」上記相違点２の構成とすることは、当業者が容易になし得ることである。
　そして、これらの相違点を総合的に勘案しても、本件補正発明の奏する作用効果は、当業者であれば、引用発明及び周知技術から予測できる範囲内のものにすぎず、格別顕著なものということはできない。
　
　したがって、本件補正発明は、引用発明及び周知技術に基づいて、当業者が容易に発明をすることができたものであり、特許法第２９条第２項の規定により、特許出願の際独立して特許を受けることができないものである。
（７）　本件補正についてのむすび
　よって、本件補正は、特許法第１７条の２第６項において準用する同法第１２６条第７項の規定に違反するので、同法第１５９条第１項の規定において読み替えて準用する同法第５３条第１項の規定により却下すべきものである。
　よって、上記補正の却下の決定の結論のとおり決定する。
　
第３　本願発明について
１　本願発明
　平成３０年９月３日付けの手続補正は上記のとおり却下されたので、本願の請求項に係る発明は、平成３０年４月２６日にされた手続補正により補正された特許請求の範囲の請求項１−１５に記載された事項により特定されるものであるところ、その請求項１に係る発明（以下、「本願発明」という。）は、上記第２、１（２）に記載した、その請求項１に記載された事項により特定されるとおりのものである。
２　拒絶の理由
　平成３０年６月４日付けの当審拒絶理由通知の理由は、次のとおりのものである。
　この出願の請求項１−１５に係る発明は、その出願前日本国内又は外国において頒布された引用文献１−６に記載された発明又は電気通信回線を通じて公衆に利用可能となった発明に基づいて、その出願前にその発明の属する技術の分野における通常の知識を有する者が容易に発明をすることができたものであるから、特許法第２９条第２項の規定により特許を受けることができない、というものである。
　引用文献１：特開２００６−０１８６２３号公報
　引用文献２：特開２００２−３６９２５７号公報
　引用文献３：特開２００４−０１５１６９号公報
　引用文献４：特開２００８−１３５９３５号公報
　引用文献５：国際公開第２００９／０１６７６０号
　引用文献６：特開２００４−７０７０１号公報
３　引用文献
　当審拒絶理由通知で引用された引用文献１−６のうち引用文献１−４及びその記載事項は、前記第２［理由］２の「（２）　引用文献１の記載事項」、及び、「（３）　引用文献２−４の記載事項」に記載したとおりである。
　
４　対比・判断
　本願発明は、前記第２［理由］２で検討した本件補正発明から「第２デバイスを検索する段階」に係る限定事項を省いたものである。
　そうすると、本願発明の構成要件を全て含み、さらに他の構成要件を付加したものに相当する本件補正発明が、上記第２［理由］２（５）、（６）に記載したとおり、引用発明及び周知技術に基づいて、当業者が容易に発明をすることができたものであるから、本願発明も、同様の理由により、引用発明及び周知技術に基づいて、当業者が容易に発明をすることができたものである。　
第４　むすび
　以上のとおり、本願発明は、特許法第２９条第２項の規定により特許を受けることができないから、他の請求項に係る発明について論及するまでもなく、本願は拒絶されるべきものである。
　よって、結論のとおり審決する。